(57)【要約】  【課題】  衣料に皮膚保湿成分を吸着させ、優れたスキンケア効果を衣料に付与することができる衣料用処理剤組成物の提供。  【解決手段】  （ａ）皮膚保湿成分、及び（ｂ）ポリグリセロール変性シリコーンを含有する衣料用処理剤組成物、並びに（ａ）成分を、この衣料用処理剤組成物で処理した衣料から放出させる方法。【選択図】  なし【特許請求の範囲】
【請求項１】
（ａ）皮膚保湿成分、及び（ｂ）ポリグリセロール変性シリコーンを含有する衣料用処理剤組成物。
【請求項２】
（ａ）成分が、下記（Ｉ）〜（IX）群から選ばれる少なくとも１種の化合物である請求項１記載の衣料用処理剤組成物。
（Ｉ）一般式（ａ１）で表されるアミン化合物
【化１】
2005054305.tif 000017
〔式中、Ｒ1及びＲ2は同一又は異なって、水素原子、又はヒドロキシ基で置換されていてもよい炭素数１〜２０の炭化水素基であり、少なくとも一方には、窒素原子に対してβ位にヒドロキシ基が置換されている。Ａは−Ｏ−又は−ＯＣＯ−から選ばれる基であり、Ｒ3はヘテロ原子を含んでいてもよい炭素数１〜４０の炭化水素基である。〕
（II）一般式（ａ２）で表されるアミド化合物
【化２】
2005054305.tif 000018
〔式中、Ｒ4及びＲ6は同一又は異なって、ヒドロキシ基で置換されていても良い炭素数１〜４０の炭化水素基であり、少なくとも一方はヒドロキシ基で置換されていても良い炭素数１２〜４０の炭化水素基である。Ｒ5はヒドロキシ基又はアルキルオキシ基で置換されていても良い炭素数１〜５の炭化水素基である。Ｂは−Ｏ−又は−ＯＣＯ−から選ばれる基であり、ａは０又は１の数である。〕
（III）セラミド類から選ばれる化合物
（IV）イソステアリル基、イソステアロイル基、オレイル基、オレオイル基及びコレステリル基から選ばれる１種以上の基と、エーテル基、エステル基、アミド基、ヒドロキシ基及びカルボキシル基から選ばれる１種以上の基を有する化合物
（Ｖ）（IV）の化合物以外のステロール類、トレハロース、セラキルアルコール、エリトリトール、ペンタエリスリトール及びグルコースからなる群から選ばれる化合物
（VI）炭素数２〜２４の飽和又は不飽和脂肪酸
（VII）水溶性多糖類、ムコ多糖類及びオリゴ糖からなる群から選ばれる化合物
（VIII）融点が０℃以下の油脂
（IX）ワセリン又は融点が４０〜９０℃のロウからなる群から選ばれる化合物
【請求項３】
（ｂ）成分が、シリコーンのケイ素原子に、連結基を介して、下記構造式（ｂ１）で表わされる分岐グリセロール基を１個以上含有する分岐ポリグリセロール鎖が少なくとも１つ結合した、分岐ポリグリセロール変性シリコーンである請求項１又は２記載の衣料用処理剤組成物。
【化３】
2005054305.tif 000019
（式中、２つの酸素原子には、同一又は異なって、上記構造式（ｂ１）、下記構造式（ｂ２）、（ｂ３）又は（ｂ４）
【化４】
2005054305.tif 000020
で表されるグリセロール基又はグリシドール基が結合する。）
【請求項４】
（ａ）成分を、請求項１〜３いずれかに記載の衣料用処理剤組成物で処理した衣料から放出させる方法。
【発明の詳細な説明】
【技術分野】
【０００１】
本発明は衣料用処理剤組成物に関する。
【背景技術】
【０００２】
皮膚や角質等の身体の最外層に位置する部分は、体内の成分や水分の損失、蒸散を防ぐ等の機能を恒常的に保つことが重要である。しかしながら、このような機能は、種々の内的要因あるいは外的刺激等により、その機能が低下し、皮膚に炎症を生じたり、肌荒れや皮膚の老化を助長したり、又、種々の皮膚疾患を引き起こす原因となる。また、近年アレルゲン等の刺激に対して非常に敏感に反応するアトピー性皮膚炎が増加する傾向にある。このため、皮膚や角質に常に接触する衣料にスキンケア効果を付与する研究が行われている。
【０００３】
特許文献１にはセラミド等の物質を含有する繊維処理剤が開示されている。特許文献２にはセリシンを含有する柔軟剤組成物が開示されている。特許文献３にはアスコルビン酸誘導体を含有する機能化繊維材料が開示されている。また、スキンケア効果を有する薬剤を繊維に吸着させる研究も行われている。特許文献４には自然保湿因子成分を衣類に固着させる繊維処理剤が開示されている。特許文献５にはスキンケア剤含有繊維の技術が開示されている。特許文献６には保湿剤と第４級アンモニウム塩を含有してなる繊維処理剤が開示されている。特許文献７にはヒアルロン酸等を繊維に固着させる技術が開示されている。しかしながら、保湿成分を繊維上に固着させる技術においては、繊維上に保湿成分が強固に保持されるため皮膚に対する効果が低いという問題があり、保湿成分を繊維に吸着させる技術においては、未だ十分な吸着量を得ることができず、満足できる効果を得ることができない。
【０００４】
一方、特許文献８及び特許文献９にはポリグリセロール変性シリコーンを化粧品に応用する技術が開示されている。特許文献１０では、オキシアルキレン基を連結基として、ポリグリセロール基を有するシリコーン化合物の製法を開示しており、特許文献１１では、エステル基を連結基として、ポリグリセロール基を有するシリコーン化合物及びその製法について開示している。しかしながら、これら特許文献は衣料用に応用する点については何ら示唆するものではなく、ましてや特定のシリコーン化合物とスキンケア剤を併用したときの効果について示唆するものではない。
【特許文献１】特開２００１−１４６６８０号公報
【特許文献２】特開２００１−１９２９７０号公報
【特許文献３】特開２００２−６１０７３号公報
【特許文献４】特開２００１−２００４７８号公報
【特許文献５】特開２００２−１４６６７４号公報
【特許文献６】特開２００２−６９８４８号公報
【特許文献７】特開平９−１５８０４６号公報
【特許文献８】特開平９−７１５０４号公報
【特許文献９】特開平１０−３１６５２６号公報
【特許文献１０】特開昭５７−１４９２９０号公報
【特許文献１１】特開平９−２７８８９２号公報
【発明の開示】
【発明が解決しようとする課題】
【０００５】
本発明の課題は、衣料に皮膚保湿成分を吸着させ、優れたスキンケア効果を衣料に付与することができる衣料用処理剤組成物を提供することにある。
【課題を解決するための手段】
【０００６】
本発明は、（ａ）皮膚保湿成分、及び（ｂ）ポリグリセロール変性シリコーンを含有する衣料用処理剤組成物、並びに（ａ）成分を、この衣料用処理剤組成物で処理した衣料から放出させる方法を提供する。
【発明の効果】
【０００７】
本発明の衣料用処理剤組成物は、衣料に皮膚保湿成分を吸着させ、優れたスキンケア効果を衣料に付与することができる。
【発明を実施するための最良の形態】
【０００８】
［（ａ）成分］
本発明の（ａ）成分は、皮膚保湿成分である。ここで、皮膚保湿成分は、「新しい化粧品素材の効能・効果・作用（上）」、株式会社シーエムシー、１９９８年第一刷発行、２０７頁〜３３０頁に記載の化合物から選択することができる。本発明における皮膚保湿成分として、好ましくは分子量１００〜３０００のアミノ基を含有する皮膚保湿成分、分子量１００〜３０００の非イオン性皮膚保湿成分、分子量５０〜１０００万の糖系高分子化合物が挙げられ、より好ましくは分子量５００〜１５００のアミノ基を含有する皮膚保湿成分、分子量２００〜１５００の非イオン性皮膚保湿成分、分子量５万〜５００万の糖系高分子化合物である。より具体的には下記（Ｉ）〜（IX）群から選ばれる化合物が保湿効果の点から好適である。
（Ｉ）一般式（ａ１）で表されるアミン化合物
【０００９】
【化５】
2005054305.tif 000002
【００１０】
〔式中、Ｒ1及びＲ2は同一又は異なって、水素原子、又はヒドロキシ基で置換されていてもよい炭素数１〜２０の炭化水素基であり、少なくとも一方には、窒素原子に対してβ位にヒドロキシ基が置換されている。Ａは−Ｏ−又は−ＯＣＯ−から選ばれる基であり、Ｒ3はヘテロ原子を含んでいてもよい炭素数１〜４０の炭化水素基である。〕
（II）一般式（ａ２）で表されるアミド化合物
【００１１】
【化６】
2005054305.tif 000003
【００１２】
〔式中、Ｒ4及びＲ6は同一又は異なって、ヒドロキシ基で置換されていても良い炭素数１〜４０の炭化水素基であり、少なくとも一方はヒドロキシ基で置換されていても良い炭素数１２〜４０の炭化水素基である。Ｒ5はヒドロキシ基又はアルキルオキシ基で置換されていても良い炭素数１〜５の炭化水素基である。Ｂは−Ｏ−又は−ＯＣＯ−から選ばれる基であり、ａは０又は１の数である。〕
（III）セラミド類から選ばれる化合物
（IV）イソステアリル基、イソステアロイル基、オレイル基、オレオイル基及びコレステリル基から選ばれる１種以上の基と、エーテル基、エステル基、アミド基、ヒドロキシ基及びカルボキシル基から選ばれる１種以上の基を有する化合物
（Ｖ）（IV）の化合物以外のステロール類、トレハロース、セラキルアルコール、エリトリトール、ペンタエリスリトール及びグルコースからなる群から選ばれる化合物
（VI）炭素数２〜２４の飽和又は不飽和脂肪酸
（VII）水溶性多糖類、ムコ多糖類及びオリゴ糖からなる群から選ばれる化合物
（VIII）融点が０℃以下の油脂
（IX）ワセリン又は融点が４０〜９０℃のロウからなる群から選ばれる化合物
（Ｉ）群の化合物において、より具体的には一般式（ａ１−１）で表される化合物及び一般式（ａ１−２）で表される化合物が好適である。
【００１３】
【化７】
2005054305.tif 000004
【００１４】
〔式中、Ｒ1aは、水素原子、又はヒドロキシ基で置換されていてもよい炭素数１〜１０の炭化水素基、Ｒ3aは、環構造を有していてもよく、かつヘテロ原子を含んでいてもよい炭素数６〜４０の炭化水素基を示す。〕
【００１５】
【化８】
2005054305.tif 000005
【００１６】
〔式中、Ｒ1bは、水素原子、又はヒドロキシ基で置換されていてもよい炭素数１〜１０の炭化水素基、Ｒ3bは、環構造を有していてもよく、かつヘテロ原子を含んでいてもよい炭素数６〜４０の炭化水素基を示す。〕
一般式（ａ１−１）及び（ａ１−２）において、Ｒ1a及びＲ1bとしては、メチル、エチル、ブチル、ヘキシル、フェニル、ベンジル、ヒドロキシメチル、ヒドロキシエチル、１，２−ジヒドロキシエチル、１，２，３−トリヒドロキシプロピル、１，２，３，４−テトラヒドロキシブチル、１，２，３，４，５−ペンタヒドロキシペンチル、２，３−ジヒドロキシプロピル−２，３，４−トリヒドロキシブチル、２，３，４，５−テトラヒドロキシペンチル、２，３，４，５，６−ペンタヒドロキシヘキシルから選ばれる炭化水素基が好適である。
【００１７】
また、Ｒ3a及びＲ3bとしては、ヘキシル、オクチル、ノニル、デシル、ドデシル、テトラデシル、ペンタデシル、ヘキサデシル、オクタデシル、ドコシル、ドトリアコンチル、エイコシル、メチル分岐イソステアリル、メチル分岐イソパルミチル、２−エチルヘキシル、７−ヘキサデセニル、２−ヘプチルウンデシル、５，７，７−トリメチル−２−オクタデセニル、９，１２−オクタデカジエニル、４，８，１２−トリメチルトリデシル、４−メチル−３−ペンテニル、シクロヘキシル、フェニル、トコフェリル、ベンジル、コレステリル、１２−ヒドロキシオクタデシル、１２−ヒドロキシドデシル、９−ヒドロキシノニル、９，１０−ジヒドロキシオクタデシル、４−ドデシロキシフェニル、４−（９−ヒドロキシノニルオキシ）フェニル、９−（４−ブトキシフェニルオキシ）ノニル、４−（ドデシルアミノカルボニル）フェニル、１１−（シクロヘキサンカルボニルアミノ）−ウンデシル、１１−（フェニルジメチルシリル）ウンデシル、９，１０−（イソプロピリデンジオキシ）オクタデシル、１２−ヒドロキシ−９−オクタデセニル、１２−メトキシオクタデシル、１０−（２−エチルヘキシルオキシ）デシル、１１−カルボキシウンデシル、１１−ブトキシカルボニルウンデシル、１１−（２−エチルヘキサノイルアミノ）ウンデシル、１１−（ブチルジメチルシリル）ウンデシル、トコフェリル、９，１０−（イソプロピリデンジオキシ）オクタデシルから選ばれる基が好適である。
【００１８】
なお、（Ｉ）群の化合物は、特開平６−２７１４４３号公報、特開平６−２７１４４４号公報、特開平６−２７１４４９号公報、特開平６−２７１４５０号公報等に記載の方法により製造することができる。
【００１９】
（II）群の化合物において、一般式（ａ２）中、Ｒ4及びＲ6としては、メチル、エチル、プロピル、ブチル、ペンチル、ヘキシル、ヘプチル、オクチル、ノニル、デシル、ウンデシル、ドデシル、トリデシル、テトラデシル、ペンタデシル、ヘキサデシル、ヘプタデシル、オクタデシル、ノナデシル、ヘンエイコシル、ドコシル、ノナコシル、トリアコンチル、イソステアリル、イソヘプタデシル、２−エチルヘキシル、１−エチルヘプチル、８−ヘプタデシル、８−ヘプタデセニル、８，１１−ヘプタデカジエニル、２−ヘプチルウンデシル、９−オクタデセニル、１−ヒドロキシノニル、１−ヒドロキシペンタデシル、２−ヒドロキシペンタデシル、１５−ヒドロキシペンタデシル、１１−ヒドロキシヘプタデシル及び１１−ヒドロキシ−８−ヘプタデセニル等が挙げられる。
【００２０】
Ｒ4としては、ヒドロキシ基で置換されていても良い炭素数９〜２５の直鎖又は分岐鎖のアルキル若しくはアルケニル基が好ましく、例えばノニル、ウンデシル、トリデシル、テトラデシル、ペンタデシル、ヘプタデシル、ヘンエイコシル、ノナコシル、イソヘプタデシル、１−エチルヘプチル、８−ヘプタデシル、８−ヘプタデセニル、８，１１−ヘプタデカジエニル、１−ヒドロキシノニル、１−ヒドロキシペンタデシル、２−ヒドロキシペンタデシル、１５−ヒドロキシペンタデシル、１１−ヒドロキシヘプタデシル及び１１−ヒドロキシ−８−ヘプタデセニルが好適である。Ｒ4として特に好ましい炭化水素基は炭素数１１〜２１の直鎖及び分岐鎖のアルキル基であり、例えばウンデシル、トリデシル、テトラデシル、ペンタデシル、ヘプタデシル、ヘンエイコシル及びメチル分岐イソヘプタデシル基である。
【００２１】
Ｒ6としては、炭素数８〜２６の直鎖又は分岐鎖のアルキル若しくはアルケニル基が好ましく、具体的にはオクチル、デシル、ドデシル、テトラデシル、ヘキサデシル、オクタデシル、ドコシル、トリアコンチル、イソステアリル、２−エチルヘキシル、２−ヘプチルウンデシル及び９−オクタデセニルが好適である。
【００２２】
Ｒ5は、ヒドロキシ基又はアルキルオキシ基で置換されていても良い炭素数１〜５の炭化水素基であり、好ましくはヒドロキシエチル基、ヒドロキシプロピル基、メトキシプロピル基、メトキシエチル基、エトキシプロピル基、エトキシエチル基である。
【００２３】
Ｂは−Ｏ−又は−ＯＣＯ−から選ばれる基であり、−Ｏ−が好ましい。ａは０又は１の数である。
【００２４】
なお、（II）群の化合物は、特開平８−３１９２６３号公報、特開平８−３１９２３３号公報、特開平９−１１０６６７号公報等に記載の方法により製造することができる。
【００２５】
（III）群の化合物は天然セラミド及び／又は合成セラミドであり、具体的には下記１３種類の化合物を挙げることができる。
【００２６】
セラミド１：C17H31COOC29H58CONHCH(CH2OH)CH(OH)C15H29
セラミド２：C23H47CONHCH(CH2OH)CH(OH)C15H29
セラミド３：C23H47CONHCH(CH2OH)CH(OH)CH(OH)C14H29
セラミド４：C24H49CH(OH)CONHCH(CH2OH)CH(OH)C15H29
セラミド５：C22H45CH(OH)CONHCH(CH2OH)CH(OH)C15H29
セラミド６：C22H45CH(OH)CONHCH(CH2OH)CH(OH)CH(OH)C14H29
セラミド７：HOC2H4OCH2NHCO(CH2)6CH(CH3)C3H6CH(CH3)(CH2)6CONHCH2OC2H4OH
セラミド８：HOC2H4OCH2NHCO(CH2)18CONHCH2OC2H4OH
セラミド９：CH3OC3H6NHCO(CH2)6CH(CH3)C3H6CH(CH3)(CH2)6CONHC3H6OCH3
セラミド１０：CH3OC3H6NHCO(CH2)18CONHC3H6OCH3
セラミド１１：CH3OC3H6NHCO(CH2)8CONHC3H6OCH3
セラミド１２：CH3(CH2)11OC3H6NHCO(CH2)8CONHC3H6O(CH2)11CH3
セラミド１３：CH3CH2CH2CH2CH(C2H5)CH2NHCO(CH2)8CONHCH2CH(C2H5)CH2CH2CH2CH3
（IV）群の化合物としては、一般式（ａ３）で表される化合物及び一般式（ａ４）で表される化合物から選ばれる１種以上が好適である。
【００２７】
（Ｒ7）b−Ｄ              （ａ３）
Ｒ7−Ｅ−Ｒ7          （ａ４）
〔式中、Ｒ7はイソステアリル基、イソステアロイル基、オレイル基、オレオイル基及びコレステリル基から選ばれる基であり、Ｄはヒドロキシ基又はカルボキシル基を２〜５個有する総炭素数２〜１０の化合物Ｄ’からエステル結合でＲ7と結合しているヒドロキシ基及び／又はカルボキシル基を除いた基である。ｂは１〜３の数である。Ｅは−Ｏ−及び−Ｎ（Ｒ8）−から選ばれる基であり、Ｒ8は水素原子、又は炭素数１〜３のアルキル基もしくはヒドロキシアルキル基である。なお、分子中に複数個のＲ7が存在する場合には、複数個のＲ7は同一でも異なっていてもよい。〕
化合物Ｄ’としては、好ましくはエチレングリコール、プロピレングリコール、ジエチレングリコール、トリエチレングリコール、ジプロピレングリコール、グリセリン、ポリグリセリン（平均重合度１〜３）、ペンタエリスリトール、ジペンタエリスリトール、グルコース、メチルグルコシド、サッカロース、キシリトール、ソルビトール、マンイトール、ソルビタンから選ばれる多価ヒドロキシ化合物、あるいはコハク酸、マレイン酸、フマル酸、アジピン酸、酒石酸（多価ヒドロキシ化合物として扱ってもよい）、クエン酸から選ばれる多価カルボン酸化合物が挙げられる。
【００２８】
一般式（ａ３）で表される化合物は、式  Ｒ7−Ｔ1
（ここで、Ｔ1はＲ7がステアロイル基又はオレオイル基の場合にはＯＨ、ＯＲ9、−Ｔ2であり、Ｒ7がステアリル基、オレイル基又はコレステリル基の場合にはＯＨである。Ｒ9はメチル基又はエチル基であり、Ｔ2はハロゲン原子である。）
で表される化合物と化合物Ｄ’との縮合反応により得ることができる。また、式Ｒ7−Ｔ1で表される化合物は、化合物Ｄ’とエチレンオキシド、プロピレンオキシド、エピクロルヒドリン、グリシドールから選ばれる化合物に由来する基を介して結合してもよい。この場合において、これらの付加モル数は１〜１０、好ましくは１〜５である。
【００２９】
一般式（ａ３）で表される最も好ましい化合物は、イソステアリルグリセリルエーテル、コレステリルグリセリルエーテル、オレイルグリセリルエーテル、ペンタエリスリトールイソステアリルグリセリルエーテル、オレイルモノクエン酸エステル、コレステリルモノコハク酸エステル、コレステリルジコハク酸エステル、イソステアリルモノコハク酸エステル、イソステアリン酸モノ、ジ、トリグリセライド、オレイン酸モノ、ジ、トリグリセライド、オレイン酸ポリグリセリンエステル（平均重合度１〜１０）、オレイン酸ソルビタンエステルから選ばれる１種以上であり、ペンタエリスリトールイソステアリルグリセリルエーテル、コレステリルモノコハク酸エステル、及びオレイン酸ポリグリセリンエステル（平均重合度１〜１０）、オレイン酸ソルビタンエステルが最も好ましい。
【００３０】
一般式（ａ４）で表される化合物の好ましい具体例としては、イソステアリン酸イソステアリル、イソステアリン酸コレステリル、イソステアリン酸オレイル、イソステアリン酸イソステアリルアミドであり、特にイソステアリン酸コレステリルが最も好ましい。
【００３１】
（Ｖ）群の化合物としては、（IV）群の化合物以外のステロール類が好ましく、具体的にはコレステロール、カンベステロール、ステグマスタノール、ステグマステロール、パリステロール、クリオナステロール、γ−シトステロール、ステグマステノール、サルガステロール、アペネステロール、エスゴスタノール、シトステロール、コルビステロール、コンドリラステロール、ポリフェラステロール、ハリクロナステロール、ネオスボンゴステロール、フコステロール、アプトスタノール、エルゴスタジエノール、エルゴステロール、２２−ジヒドロエルゴステロール、ブラシカステロール、２４−メチレンコレステロール、５−ジヒドロエルゴステロール、デヒドロエルゴステロール、フンギステロール、コレスタノール、コプロスタノール、ジモステロール、７−ヘトコレステロール、ラトステロール、２２−デヒドロコレステロール、β−シトステロール、コレスタトリエン−３β−オール、コプロスタノール、コレスタノール、７−デヒドロコレステロール、２４−デヒドリコレスタジオン−３β−オール、エキレニン、エキリン、エストロン、１７β−エストラジオール、アンドロスト−４−エン−３β−１７β−ジオール、デヒドロエビアンドステロン等を挙げることができ、特にコレステロールが好ましい。
【００３２】
（VI）群の化合物としては、炭素数８〜２４の直鎖又は分岐鎖の脂肪酸が好ましく、炭素数１４〜２２の脂肪酸が特に好ましい。特にγ−リノレン酸、イソステアリン酸、ヘキサデセン酸、オレイン酸が好ましい。
【００３３】
（VII）群の化合物において、水溶性多糖類としては、Ｌ−フコース、Ｄ−ガラクトース、Ｄ−ガラクツロン酸、Ｄ−グルクロン酸、Ｌ−ラムノース、Ｄ−リボース、Ｄ−リブロン酸等を挙げることができる。ムコ多糖類としては、ヒアルロン酸、コンドロイチン硫酸、デルマタン硫酸、ケラタン硫酸、ヘパラン硫酸、ヘパリン、キチン、キトサン等を挙げることができる。オリゴ糖としてはマルトース、キシロビオース、イソマントース、ラクトース、スクロース、ラフィノース、マルトトリオース、キシロトリオース、マルトテトラオース、キシロテトラオース、マルトペンタオース、キシロペンタオース、マルトヘキサオース、キシロヘキサオース、マルトヘプタオース、キシロヘプタオース等を挙げることができる。本発明において（VII）群の化合物としてはヒアルロン酸が最も好ましい。
【００３４】
（VIII）群の化合物としては、「油脂化学便覧」（丸善（株）発行改訂３版（平成４年１月１５日発行）日本油化学協会編集）、９９頁〜１０２頁に記載の油脂を用いることができ、本発明では特にヨウ素価が５０〜１１０（Ｉｇ／１００ｇ）の化合物が好適である。具体的には菜種油、ひまわり油、ツバキ油、オリーブ油、紅花油、ゴマ油、大豆油、コーンオイル、グレープシードオイル、月見草油、亜麻仁油、しそ油、ボリジ油、ブラックカラント油から選ばれる植物油脂が好適である。
【００３５】
（IX）群の化合物としては「油脂化学便覧」（丸善（株）発行改訂３版（平成４年１月１５日発行）日本油化学協会編集）、１０４頁表２・４に記載のロウ化合物およびワセリンが好適であり、特に保湿効果の点からワセリンが好ましい。
【００３６】
本発明の（ａ）成分としては、特に（Ｉ）、（II）、（III）、（IV）、（VI）、（IX）群から選ばれる化合物が好適であり、（Ｉ）、（II）、（III）、（VI）、（IX）群から選ばれる化合物が最も好ましい。
【００３７】
［（ｂ）成分］
本発明の（ｂ）成分は、ポリグリセロール変性シリコーンであり、皮膚保湿成分の吸着性を向上させる目的から分岐ポリグリセロール変性シリコーンが好適である。分岐ポリグリセロール変性シリコーンの具体例としては、シリコーンのケイ素原子に、連結基を介して、下記構造式（ｂ１）で表わされる分岐グリセロール基を１個以上含有する分岐ポリグリセロール鎖が少なくとも１つ結合した、分岐ポリグリセロール変性シリコーンが挙げられる。
【００３８】
【化９】
2005054305.tif 000006
【００３９】
（式中、２つの酸素原子には、同一又は異なって、上記構造式（ｂ１）、下記構造式（ｂ２）、（ｂ３）又は（ｂ４）
【００４０】
【化１０】
2005054305.tif 000007
【００４１】
で表されるグリセロール基又はグリシドール基が結合する。）
分岐基として１個以上の構造式（ｂ１）で表わされる分岐グリセロール基（以下、基（ｂ１）という）を含有する分岐ポリグリセロール鎖の構造は、ｃ個の基（ｂ１）、ｄ個の構造式（ｂ２）で表されるグリシドール基（以下、基（ｂ２）という）、ｅ個の構造式（ｂ３）で表されるグリセロール基（以下、基（ｂ３）という）、及び末端基としてｆ個の構造式（ｂ４）で表されるグリセロール基（以下、基（ｂ４）という）が結合してなるものである（但し、ｃは１以上の整数、ｄ及びｅは０以上の整数、ｆは２以上の整数を示す。）。
【００４２】
分岐ポリグリセロール鎖中の、基（ｂ１）、（ｂ２）、（ｂ３）及び（ｂ４）の数（ｃ＋ｄ＋ｅ＋ｆ）は３以上であり、後述するＮＭＲ解析ないし前駆体シリコーンとの分子量比較により求められる。分岐ポリグリセロール鎖中の基（ｂ１）、（ｂ２）、（ｂ３）及び（ｂ４）の数平均結合数は、３〜２００であることが好ましく、３〜１００であることが更に好ましく、３〜５０であることが特に好ましい。
【００４３】
分岐ポリグリセロール鎖中、分岐の割合は、衣料への十分な吸着効果を有するために、ｃ／（ｃ＋ｄ＋ｅ＋ｆ）が、１／１０〜１／２が好ましく、１／５〜１／２が更に好ましい。
【００４４】
分岐ポリグリセロール鎖中において、基（ｂ１）、（ｂ２）、（ｂ３）及び（ｂ４）は、任意に結合していてもよい。
【００４５】
基（ｂ１）は分岐ポリグリセロール鎖中、１〜１００個存在することが好ましく、２〜１００個存在することが更に好ましい。基（ｂ４）は分岐ポリグリセロール鎖中、２〜１０１個存在することが好ましく、３〜１０１個存在することが更に好ましい。
【００４６】
シリコーンのケイ素原子と、前述の分岐ポリグリセロール鎖を結合する連結基は、エーテル結合又はエステル結合を有する基であることが好ましい。
【００４７】
エーテル結合を有する基としては、一般式（ｂ５）で表わされる基（以下、連結基（ｂ５）という）が好ましい。なお、連結基（ｂ５）は、（Ｒ10）gがケイ素原子に結合し、（ＦＯ）hが分岐ポリグリセロール鎖に結合する。
【００４８】
−（Ｒ10）g−Ｏ−（ＦＯ）h−        （ｂ５）
（式中、Ｒ10は、置換基を有していてもよい、炭素数１〜２２の直鎖若しくは分岐鎖のアルキレン基、アルケニレン基又は炭素数６〜２２のアリーレン基、ＦＯは炭素数１〜４のアルキレンオキシ基又は炭素数６〜１０のアリーレンオキシ基、ｇは０又は１の数、ｈは０〜３０の数を示し、ｈ個のＦＯは同一でも異なっていてもよい。）
エステル結合を有する基としては、一般式（ｂ６）で表わされる基（以下、連結基（ｂ６）という）が好ましい。なお、連結基（ｂ６）は、Ｒ11がケイ素原子に結合し、（ＦＯ）iが分岐ポリグリセロール鎖に結合する。
【００４９】
−Ｒ11−ＣＯＯ−（ＦＯ）i−        （ｂ６）
（式中、Ｒ11は、置換基を有していてもよい、炭素数１〜２２の直鎖若しくは分岐鎖のアルキレン基、アルケニレン基又は炭素数６〜２２のアリーレン基、ｉは０〜３０の数、ＦＯは前記の意味を示し、ｉ個のＦＯは同一でも異なっていてもよい。）
連結基（ｂ５）及び（ｂ６）において、Ｒ10及びＲ11中のアリーレン基は、アルキレンアリーレン基、アリーレンアルキレン基、アルキレンアリーレンアルキレン基を含む。Ｒ10及びＲ11としては、好ましくは炭素数１〜１６のアルキレン基又はアルケニレン基、特に好ましくは１〜１２のアルキレン基又はアルケニレン基であり、メチレン、エチレン、プロピレン、トリメチレン、テトラメチレン、ペンタメチレン、ヘキサメチレン、ヘプタメチレン、オクタメチレン、ノナメチレン、デカメチレン、ウンデカメチレン、ドデカメチレン、トリデカメチレン、テトラデカメチレン、ペンタデカメチレン、ヘキサデカメチレン基等が挙げられる。
【００５０】
ｇは１が好ましい。ｈ及びｉは、０〜１５が好ましく、０〜８が更に好ましい。ｈ個のＦＯ、ｉ個のＦＯは、同一又は異なって、ランダム又はブロック何れの形態で結合していてもよい。好ましくはエチレンオキシ基、プロピレンオキシ基又はフェニレンオキシ基である。
【００５１】
Ｒ10及びＲ11中の置換基として、ヒドロキシ基、アミノ基（炭素数１〜２２）、イミノ基（炭素数１〜２２）、カルボキシ基、アルコキシ基（炭素数１〜２２）、アシル基（炭素数１〜２２）等が挙げられる。
【００５２】
分岐ポリグリセロール変性シリコーンを形成するシリコーンは、ケイ素原子を２つ以上有するポリシロキサンから誘導されるものであり、ポリシロキサンの形状は直鎖状、分岐鎖状、環状の何れであってもよい。また、ポリシロキサンの数平均分子量は、好ましくは３００〜５０万、より好ましくは３００〜１０万、更に好ましくは５００〜５万である。数平均分子量は、後述する測定法により求めることが出来る。
【００５３】
これらポリシロキサンの具体例としては、例えば、１，３，５，７，９−ペンタメチルシクロペンタシロキサン、１，３，５，７−テトラメチルシクロテトラシロキサン、１，１，１，３，５，７，７，７−オクタメチルテトラシロキサン、トリス（トリメチルシロキシ）シラン、１，１，３，３，５，５−ヘキサメチルトリシロキサン、１，１，１，３，５，５，５−ヘプタメチルトリシロキサン、ペンタメチルジシロキサン、１，１，３，３−テトラメチルジシロキサン、１，３−ジフェニル−１，３−ジメチルジシロキサン、１，１，１，３，３，５，５−ヘプタメチルトリシロキサン、１，１，３，３，５，５，７，７−オクタメチルテトラシロキサン等を挙げることができる。
【００５４】
分岐ポリグリセロール変性シリコーンとしては、一般式（ｂ７）で表わされるシリコーン（以下、シリコーン（ｂ７）という）が好ましい。
【００５５】
【化１１】
2005054305.tif 000008
【００５６】
［式中、Ｒ13、Ｒ14、Ｒ15、ｊ個のＲ16、ｊ個のＲ17、Ｒ18、Ｒ19、Ｒ20は、同一又は異なって、分岐グリセロール基（ｂ１）を１個以上含有する分岐ポリグリセロール鎖、置換基を有していてもよく、フッソ原子で置換されていてもよい、炭素数１〜２２の直鎖若しくは分岐鎖のアルキル基、アルケニル基又はアルコキシ基、あるいは炭素数６〜２２のアリール基を示し、Ｒ13、Ｒ14、Ｒ15、ｊ個のＲ16、ｊ個のＲ17、Ｒ18、Ｒ19、Ｒ20の内、少なくとも１つは、分岐グリセロール基（ｂ１）を１個以上含有する分岐ポリグリセロール鎖である。ｊは、０〜１０，０００の数を示す。］
シリコーン（ｂ７）において、Ｒ13、Ｒ14、Ｒ15、ｊ個のＲ16、ｊ個のＲ17、Ｒ18、Ｒ19、Ｒ20のうち分岐ポリグリセロール鎖以外は、同一又は異なって、置換基を有していてもよく、フッソ原子で置換されていてもよい、炭素数１〜２２の直鎖若しくは分岐鎖のアルキル基、アルケニル基又はアルコキシ基、あるいは炭素数６〜２２のアリール基であり、炭素数１〜２２のアルキル基としては、例えばメチル、エチル、プロピル、イソプロピル、ブチル、ｔ−ブチル、ペンチル、ヘキシル、ヘプチル、オクチル、ノニル、トリフルオロプロピル等が挙げられ、、炭素数１〜２２のアルケニル基としては、ビニル基やアリル基が挙げられ、炭素数１〜２２のアルコキシル基としては、例えばメトキシル、エトキシル、プロポキシル、ブトキシル、ペンチルオキシル、ヘキシルオキシル、ヘプチルオキシル、オクチルオキシル、ノニルオキシル、トリフルオロエトキシ基等が挙げられる。また、置換基としては、ヒドロキシ基、カルボキシ基、アミノ基、イミノ基、メルカプト基、及びエポキシ基等が挙げられる。これらの中では、炭素数１〜１２の直鎖若しくは分岐鎖のアルキル基又はアルケニル基、あるいは炭素数６〜１２のアリール基が好ましく、炭素数１〜３のアルキル基が更に好ましい。
【００５７】
シリコーン（ｂ７）において、Ｒ13、Ｒ14、Ｒ15、ｊ個のＲ16、ｊ個のＲ17、Ｒ18、Ｒ19、Ｒ20のうち少なくとも１つ、好ましくは１〜５、更に好ましくは１〜３は、分岐ポリグリセロール鎖である。この分岐ポリグリセロール鎖は、シリコーン（ｂ７）の側鎖、片末端及び／又は両末端のいずれに位置していてもよい、またその混合物でも良い。
【００５８】
シリコーン（ｂ７）中のｊは、０〜１０，０００の数を示し、好ましくは１〜１，０００の数を、更に好ましくは１〜５００の数を示す。
【００５９】
分岐ポリグリセロール変性シリコーンの数平均分子量は、好ましくは１０００〜５０万、更に好ましくは１０００〜２０万、特に好ましくは１０００〜１０万である。この数平均分子量の測定方法は、後述するように、ＧＰＣ（ポリスチレン又はポリエチレングリコール換算）による。
【００６０】
分岐ポリグリセロール変性シリコーンは、シリコーン中のケイ素原子数（Ｓｉ）と分岐ポリグリセロール鎖中の基（ｂ１）、（ｂ２）、（ｂ３）及び（ｂ４）の合計数（以下グリセロール基数という）（Ｇ）の比（Ｇ／Ｓｉ）が、０．１〜１０が好ましく、０．２〜３が更に好ましく、０．３〜１．２が特に好ましい。この範囲内では、繊維への残存性が高い。
【００６１】
分岐ポリグリセロール変性シリコーンは、ヒドロキシ基、カルボキシ基、アミノ基、イミノ基、メルカプト基及びエポキシ基からなる群から選ばれる１つ以上の官能基を有するシリコーン（以下、前駆体シリコーンという）に、酸性又は塩基性触媒の存在下、２，３−エポキシ−１−プロパノール（以下、グリシドールという）を添加して反応させることにより得られる。
【００６２】
前駆体シリコーンとしては、シリコーンのケイ素原子に式（ｂ８）で表される基が結合したヒドロキシ基を有するシリコーン、式（ｂ９）で表される基が結合したカルボキシ基を有するシリコーン、式（ｂ１０）で表される基が結合したアミノ基又はイミノ基を有するシリコーン、式（ｂ１１）で表される基が結合したメルカプト基を有するシリコーン、式（ｂ１２）又は（ｂ１３）で表される基が結合したエポキシ基を有するシリコーンが好ましい。
【００６３】
これらの官能基の位置としては、シリコーン鎖の側鎖、両末端および片末端いずれのものも用いることが出来る。反応開始の容易さの観点からは、官能基として、ヒドロキシ基、エポキシ基を有するものが好ましい。
【００６４】
−（Ｒ10）g−Ｏ−（ＦＯ）h−Ｈ      （ｂ８）
（式中、Ｒ10、ｇ、ｈ、ＦＯは前記の意味を示す。）
−Ｒ11−ＣＯＯ−（ＦＯ）i−Ｇ1      （ｂ９）
（式中、Ｒ11、ｉ、ＦＯは前記の意味を示す。Ｇ1は水素原子、又は金属、アンモニウム、総炭素数１〜２２のアルキル若しくはアルケニルアンモニウム、炭素数１〜２２のアルキル若しくはアルケニル置換ピリジニウム、総炭素数１〜２２のアルカノールアンモニウム、又は塩基性アミノ酸等の塩を形成する基を示す。）
【００６５】
【化１２】
2005054305.tif 000009
【００６６】
（式中、Ｒ21は炭素数１〜２２の直鎖若しくは分岐鎖のアルキレン基又はアルケニレン基、あるいは炭素数６〜２２のアリーレン基、Ｘ及びＹは同一又は異なって、水素原子、ヒドロキシル基を有していてもよい炭素数１〜２２の炭化水素基、又はヒドロキシル基を有していてもよい炭素数１〜２２のアミノアルキル基を示す。但し、ＸとＹは、少なくとも一方は、水素原子、又はアミノ基に水素原子を有するアミノアルキル基である。）
−（Ｒ10）g−Ｓ−（ＦＯ）h−Ｈ      （ｂ１１）
（式中、Ｒ10、ｇ、ｈ、ＦＯは前記の意味を示す。）
【００６７】
【化１３】
2005054305.tif 000010
【００６８】
（式中、Ｒ10、ｇ、ｈ、ＦＯは前記の意味を示す。）
【００６９】
【化１４】
2005054305.tif 000011
【００７０】
（式中、ｊは１以上の整数を示す。）
ヒドロキシ基を有するシリコーンにおいて、親水性向上のためには、式（ｂ８）中のｈは１０以上の大きな数であってもよいが、分岐ポリグリセロール変性シリコーンの特色を有効に発揮させるには、ｈは１０以下であることが好ましく、より好ましくは３以下で、さらに好ましくは０又は１である。
【００７１】
カルボキシ基を有するシリコーンは、ケイ素原子とカルボキシ基とが飽和炭化水素で結合している化合物、又は特開２００２−１１４８４９号公報に記載されているように、カルボキシ基又はその塩が、イミノ基又はエーテル基を置換基として有するアルキレン基を介して、ケイ素原子に結合しているシリコーンが好ましい。
【００７２】
アミノ基又はイミノ基を有するシリコーンにおいて、式（ｂ１０）中のＲ21として、好ましくは炭素数１〜１２のアルキレン基が挙げられ、例えばメチレン、エチレン、プロピレン、トリメチレン、テトラメチレン、ペンタメチレン、ヘキサメチレン、ヘプタメチレン、オクタメチレン基が挙げられる。
【００７３】
式（ｂ１０）で表される基の具体例としては、３−アミノプロピル基、Ｎ−（２−アミノエチル）−３−アミノプロピル基、Ｎ−（２−ジメチルアミノエチル）−３−アミノプロピル基、Ｎ−アルキル（炭素数１〜２２）アミノプロピル基等が挙げられる。中でも３−アミノプロピル基、Ｎ−（２−アミノエチル）−３−アミノプロピル基、Ｎ−（２−ジメチルアミノエチル）−３−アミノプロピル基、特に３−アミノプロピル基が入手し易さの点で好ましい。
【００７４】
アミノ基又はイミノ基を有するシリコーンのアミン当量は、変性率と反応効率の観点から、３００〜５０，０００ｇ／ｍｏｌが好ましく、３００〜１０，０００ｇ／ｍｏｌがより好ましく、さらに好ましくは３００〜５，０００ｇ／ｍｏｌである。また、反応効率向上のため、２５℃における粘度は、１０〜１，０００，０００ｍｍ2／ｓが好ましく、２０〜１０，０００ｍｍ2／ｓがより好ましい。粘度は、測定試料の粘度（２５℃）が１００，０００ｍｍ2／ｓ未満の場合、Ｂ型粘度計で測定し、測定試料の粘度（２５℃）が１００，０００ｍｍ2／ｓ以上の場合はＥ型粘度計で測定する。
【００７５】
メルカプト基又はエポキシ基を有するシリコーンにおいて、式（ｂ１１）及び（ｂ１２）中のＲ10として、炭素数１〜１２のアルキレン基が好ましく挙げられ、例えばメチレン、エチレン、プロピレン、トリメチレン、テトラメチレン、ペンタメチレン、ヘキサメチレン、ヘプタメチレン、オクタメチレン基が挙げられる。特に、メチレン基が好ましい。ｇは１又は０で、１が好ましい。ｈは０又は１で、０が好ましい。また、式（ｂ１３）中のｊは、好ましくは１〜１２の数である。
【００７６】
前駆体シリコーンとグリシドールとの反応に用いる酸性触媒としては、ＨＰＦ6・Ｅｔ2Ｏ、ＳｎＣｌ4、Ｈ2ＳＯ4、ＰｈＣＯＳｂＦ6、過塩素酸、フルオロ硫酸、トリフルオロメタンスルホン酸等のルイス酸が挙げられる（ここで、Ｅｔはエチル基、Ｐｈはフェニル基を示す）。
【００７７】
これらの酸性触媒の量は、前駆体シリコーンのヒドロキシ基、カルボキシ基、アミノ基、イミノ基、メルカプト基、エポキシ基等の官能基の総当量モルに対して、０．０１〜２モル当量が好ましく、０．１〜１．０モル当量が更に好ましい。この範囲内では、副反応が生じにくく、反応が進むため好ましい。
【００７８】
前駆体シリコーンとグリシドールとの反応に用いる塩基性触媒としては、ＮａＯＨ、ＫＯＨ、ＬｉＯＨ、ＣｓＯＨ等の金属水酸化物、Ｎａ、Ｋ、Ｌｉ、Ｃｓ等の金属単体、一般式ＲＯＭ2（Ｒ：アルキル基、好ましくは炭素数１〜１２のアルキル基、Ｍ2：アルカリ金属）で表わされる金属アルコラート、アルカリ金属又はアルカリ土類金属の金属水素化物等が挙げられる。これらの中では、金属単体、金属水酸化物、金属アルコラートが、高活性で好ましい。
【００７９】
これらの塩基性触媒の量は、前駆体シリコーンのヒドロキシ基、カルボキシ基、アミノ基、イミノ基、メルカプト基、エポキシ基等の官能基の総当量モルに対して、０．０１〜２モル当量が好ましく、０．１〜１．０モル当量が更に好ましい。この範囲内では、副反応が生じにくく、反応が進むため好ましい。
【００８０】
上記副反応として、グリシドールの環化反応やシリコーンに結合しない、グリシドールの重合体の生成反応が挙げられる。
【００８１】
塩基性触媒は、前駆体シリコーンと、溶媒中又は無溶媒で混合する。溶媒として、テトラヒドロフラン（ＴＨＦ）のような両極性溶媒；ヘキサン、ヘプタン、ドデカン、シクロヘキサン、メチルシクロヘキサン、イソオクタン、水添トリイソブチレン等の脂肪族炭化水素、ベンゼン、トルエン、キシレン、エチルベンゼン等の芳香族炭化水素等の炭化水素系溶媒；オクタメチルシクロテトラシロキサン、デカメチルシクロペンタシロキサン等のシリコーン系溶媒等が挙げられる。溶媒を用いる場合は、触媒１質量部に対して、溶媒を好ましくは１〜１０００質量部使用する。
【００８２】
塩基性触媒のうち、金属水酸化物又は金属アルコラートを用いる場合、前駆体シリコーンに添加後、例えば減圧下、脱水又は脱アルコールを行うことが好ましい。水及び／又はアルコールは、前記の副反応を生じるため、出来るだけ存在量を減少させることが好まい。次に、好ましくは３０〜１２０℃で、攪拌しながら、グリシドールを滴下又は間欠的に添加する。滴下時間は、滴下量に依存するが、好ましくは０．５〜２４時間、更に好ましくは１〜１２時間かけて添加する。グリシドールは、ＴＨＦのような両極性溶媒に希釈して、添加しても良い。必要に応じて、同温度で熟成させた後、冷却する。
【００８３】
グリシドールの添加量は、前駆体シリコーンに対し、０．０１〜５０モル当量が好ましく、０．０５〜１０モル当量が更に好ましい。
【００８４】
［衣料用処理剤組成物］
本発明の衣料用処理剤組成物は、該組成物を使用する方法によって任意の形態を採用することができる。具体的には、(1)対象衣料を該組成物に浸漬させた後、脱水／乾燥を行う方法（以下、方法１という）、(2)該組成物を噴霧装置を具備する容器に充填し、対象衣料に直接噴霧した後、乾燥するか又はアイロンがけをする方法（以下、方法２という）、(3)該組成物を不織布等の可撓性吸収体に担持させた物品を対象衣料と共に回転式加熱乾燥装置に入れて加熱処理を行う方法（以下、方法３という）等を挙げることができる。
【００８５】
方法１において、浸漬とは対象衣料が本発明の組成物に完全に浸される状態をいう。このような方法に供させる組成物としては、（ａ）成分及び（ｂ）成分を水に溶解又は分散させた水溶液の形態が好ましく、（ａ）成分の含有量は、好ましくは０．０１〜５０質量％、より好ましく５．０〜４０質量％、特に好ましくは１０〜３０質量％、最も好ましくは１０〜２５質量％であり、（ｂ）成分の含有量は、好ましくは０．０１〜２０．０質量％、より好ましく０．０１〜１０．０質量％、特に好ましくは０．１〜５．０質量％であり、水の含有量は好ましくは４０〜９９質量％、より好ましく５０〜９５質量％、特に好ましくは６５〜９０質量％である。また（ａ）成分の吸着を効率的に行わせる目的から、（ａ）成分／（ｂ）成分の質量比は、好ましくは５０００〜０．００２、より好ましくは２５０〜２．０である。本発明の組成物のｐＨは貯蔵安定性の点から、好ましくは２．０〜９．０、より好ましくは２．０〜７．０であり、このようなｐＨに調整する方法としては通常の硫酸、塩酸、リン酸、クエン酸、コハク酸等の酸と、水酸化ナトリウム、水酸化カリウム、炭酸ナトリウム、炭酸カリウム等のアルカリ剤を用いることができる。
【００８６】
水溶液の形態の場合、（ａ）成分は水不溶性の化合物が多いため、（ａ）成分を分散、可溶化、又は乳化させる目的、及び貯蔵安定性の点から本発明の効果を損なわない程度に界面活性剤を併用することが好ましい。
【００８７】
方法１に用いることができる界面活性剤（以下（ｃ）成分という）としては、アルキル基の炭素数８〜１５のアルキルベンゼンスルホン酸塩、アルキル基の炭素数８〜３６のアルキル硫酸エステル塩、オキシエチレン基の平均付加モル数が１〜４、アルキル基の炭素数８〜３６のポリオキシエチレンアルキルエーテル硫酸エステル塩、炭素数１２〜２２のアルキル基を有するアルキルエーテルカルボン酸塩、炭素数１２〜２２のアルキル基を有するアルキルエーテルリン酸塩から選ばれる陰イオン界面活性剤、オキシアルキレン基の平均付加モル数が４〜２０、アルキル基の炭素数が８〜１８のポリオキシエチレン（及び／又はポリオキシプロピレン）アルキルエーテル型非イオン界面活性剤、アルキル基の炭素数が８〜１６、平均縮合度が１〜５のアルキルポリグルコシド、炭素数１０〜１６の脂肪酸ソルビタンエステルから選ばれる非イオン界面活性剤、エステル基又はアミド基で分断されていてもよい炭素数が１２〜２２のアルキル基を１つ又は２つ有する４級アンモニウム型陽イオン界面活性剤、炭素数１０〜１８のアルキル基を有するスルホベタイン型又はカルボベタイン型両性界面活性剤を挙げることができる。
【００８８】
方法１に供される本発明の組成物では貯蔵安定性の点から陽イオン界面活性剤、非イオン界面活性剤が好ましく、特に一般式（ｃ１）又は一般式（ｃ２）で表される陽イオン界面活性剤、及び一般式（ｃ３）で表される非イオン界面活性剤から選ばれる化合物が好適である。
【００８９】
【化１５】
2005054305.tif 000012
【００９０】
［式中、Ｒ22及びＲ24はそれぞれ独立に、炭素数１０〜２２、好ましくは１４〜２０のアルキル基又はアルケニル基を示し、Ｊ及びＫはそれぞれ独立に、−ＣＯＯ−、−ＣＯＮＲ28−、−ＯＣＯ−又は−ＮＲ28ＣＯ−である。ここでＲ28は水素原子、炭素数１〜３のアルキル基又はヒドロキシアルキル基、好ましくは水素原子を示す。また、Ｒ23及びＲ25はそれぞれ独立に、炭素数１〜５、好ましくは１〜３のアルキレン基であり、Ｒ26は炭素数１〜３のアルキル基又はヒドロキシアルキル基、もしくはＲ22−Ｊ−Ｒ23−である。Ｒ27は炭素数１〜３のアルキル基又はヒドロキシアルキル基である。ｍ及びｎはそれぞれ独立に、０又は１の数、好ましくは１の数である。Ｚ-は、無機又は有機の陰イオンであり、好ましくはハロゲンイオン、硫酸イオン、炭素数１〜３のアルキル硫酸エステルイオン、炭素数１〜１２の脂肪酸イオンである。］
Ｒ29−Ｌ−［（Ｒ30Ｏ）p−Ｈ］q      （ｃ３）
［式中、Ｒ29は、炭素数１０〜１８、好ましくは１２〜１８のアルキル基又はアルケニル基であり、Ｒ30は炭素数２又は３のアルキレン基であり、好ましくはエチレン基である。また、ｐは２〜６０、好ましくは５〜４０、特に好ましくは２０〜４０の数である。ＬはＯ又は−ＣＯＮ−であり、ＬがＯの場合はｑは１であり、Ｌが−ＣＯＮ−の場合はｑは２である。］
方法１に供される本発明の組成物中の（ｃ）成分の含有量は、好ましくは０．０１〜５０質量％、より好ましくは０．１〜２０質量％、特に好ましくは０．５〜１０質量％である。
【００９１】
方法１に供される本発明の組成物には貯蔵安定性改善する目的、及び（ａ）成分を組成物中に安定に溶解、分散もしくは可溶化させる目的から、水溶性の有機溶剤（以下（ｄ）成分という）を用いることが好ましい。具体的に好ましい有機溶剤としてはエタノール、プロパノール、イソプロパノール、エチレングリコール、プロピレングリコール、グリセリン、１，３−ブタンジオールが好適であり、特にグリセリン、エチレングリコール、プロピレングリコール、１，３−ブタンジオールが好ましい。このような有機溶剤は本発明の組成物中に好ましくは０．１〜４０質量％、より好ましくは１〜２０質量％、特に好ましくは５〜２０質量％である。
【００９２】
方法１に供される本発明の組成物には、貯蔵安定性の点から、炭素数８〜２２の飽和又は不飽和脂肪酸と多価アルコールとのエステル化合物、及びこれらのアルキレンオキシド付加物（以下（ｅ）成分という）を組成物中０．１〜１０質量％、特に０．５〜５質量％配合することが好ましい。エステル化合物としては、トリグリセライド、ジグリセライド、モノグリセライド、ペンタエリスリトールのモノ、ジ、トリエステル、ソルビタンエステルが好ましい。また、これら化合物にアルキレンオキシドを付加させる場合にはエチレンオキシドが好適であり、平均付加モル数は１０〜２００、好ましくは２０〜１５０、更に好ましくは３０〜１２０である。
【００９３】
方法１は、上記本発明の組成物を衣料の洗濯工程におけるすすぎの段階で用いることが好適であり、方法１に供される本発明の組成物をすすぎ水に対して、好ましくは０．０２〜０．１５質量％、より好ましくは０．０２〜０．１質量％、特に好ましくは０．０３〜０．１質量％用い、処理する衣料に対して、好ましくは０．０１〜３質量％、より好ましくは０．０３〜２質量％、特に好ましくは０．０７〜１．２質量％、最も好ましくは０．１〜１質量％用いる。浸漬時間は、好ましくは１〜１０分、より好ましくは１〜５分、特に好ましくは２〜４分であり、浸漬中は攪拌を加えてもよい。また、浸漬水の温度は、好ましくは０〜５０℃、特に好ましくは５〜４０℃である。対象衣料を浸漬した後は、脱水し自然乾燥、又は回転式加熱乾燥機を用いて乾燥することができる。
【００９４】
方法２に供させる本発明の組成物としては、（ａ）成分を好ましくは０．１〜５０質量％、より好ましくは０．５〜３０質量％、特に好ましくは１〜２５質量％、（ｂ）成分を好ましくは０．０１〜５０質量％、より好ましくは０．０１〜３０質量％、特に好ましくは０．０１〜１０質量％含有する水溶液の形態が好適である。また（ａ）成分の吸着を効率的に行わせる目的から、（ａ）成分／（ｂ）成分の質量比は、好ましくは０．００２〜５０００、より好ましくは０．１〜２５００が好適である。本発明の組成物のｐＨは貯蔵安定性の点から、好ましくは２〜９、より好ましくは２〜７が好適であり、このようなｐＨに調整する方法としては、上記方法１と同様である。
【００９５】
また、（ａ）成分の貯蔵安定性、及び水に分散、可溶化又は乳化させる目的から上記（ｃ）成分を併用することができるが、このような界面活性剤を多量に用いると噴霧した組成物の大部分は衣料に残るため、衣料の感触を変化させたり、逆に皮膚に対して刺激を与える場合があるため好ましくない。このため、方法２に供される本発明の組成物中の（ｃ）成分の含有量は、好ましくは０．０１〜５質量％、より好ましくは０．０１〜３質量％、特に好ましくは０．０１〜１質量％である。
【００９６】
方法２に供される本発明の組成物には方法１と同様に貯蔵安定性改善する目的から、（ｄ）成分を用いることが好ましく、特にエタノール、プロピレングリコールが好ましい。このような有機溶剤の含有量は組成物中、好ましくは０．１〜３０質量％、より好ましくは０．２〜１０質量％、特に好ましくは０．５〜５質量％である。
【００９７】
方法２においては、本発明の組成物を噴霧装置を具備する容器に充填する。噴霧装置としてはトリガー式が好ましく、特に実開平４−３７５５４号公報の第１図に示されているような液垂れや噴霧の均一性に優れる蓄圧式トリガーを用いることが良好である。
【００９８】
方法２に用いる好ましいトリガー式噴霧装置は、１回のストロークで０．２ｇ〜１．５ｇ、好ましくは０．２５〜１．２ｇ、特に好ましくは０．３〜１．０ｇ噴出するものが良好であり、特に地面に垂直に置いた対象物に１５ｃｍ離れた場所からスプレーしたときの液のかかる面積が１００〜８００ｃｍ2、好ましくは１５０〜６００ｃｍ2になる容器が好ましい。また、（ａ）成分を衣料１００ｃｍ2当たり、好ましくは０．０１〜４ｇ、より好ましくは０．０５〜３ｇ、特に好ましくは０．１〜２ｇになるように均一に衣料にスプレーし、乾燥させることが好適である。
【００９９】
方法２は、洗濯工程の脱水が終了した濡れた状態の衣料に、本発明の組成物を噴霧した後、自然乾燥又は回転式加熱乾燥機による乾燥を行うことができる。
【０１００】
方法３は、（ａ）成分及び（ｂ）成分を含有する本発明の組成物を不織布等の可撓性吸収体に担持させた物品を対象衣料と共に回転式加熱乾燥装置に入れて加熱処理を行う方法である。このような方法に供される本発明の組成物は、（ａ）成分を好ましくは５〜５０質量％、より好ましくは１０〜３０質量％、特に好ましくは１５〜２５質量％、（ｂ）成分を好ましくは０．０１〜５０質量％、より好ましくは０．１〜２５質量％、特に好ましくは０．１〜１０質量％含有する。また（ａ）成分の吸着を効率的に行わせる目的から、（ａ）成分／（ｂ）成分の質量比は、好ましくは０．１〜５０００、より好ましくは１〜２５０である。また、融点が３０〜１００℃の有機結合剤（以下（ｆ）成分という）を好ましくは３０〜９９質量％、より好ましくは４０〜９０質量％、特に好ましくは５０〜８０質量％含有する。
【０１０１】
方法３において、配合することが出来る好ましい（ｆ）成分として、（１）炭素数１２〜２８の脂肪酸又は脂肪族アルコール、（２）植物油、動物油から選ばれる油脂を水素化触媒を用いて水素化又は部分水素化した硬化油脂又は半硬化油脂、もしくはこれらのアルキレンオキシド付加物、（３）アルキレン基の炭素数が２又は３の平均分子量（ゲルパーミエーションクロマトグラフィーによりポリエチレングリコールを標準として求める）が１０００〜１５，０００のポリアルキレングリコール、（４）アルキル基の炭素数が１０〜１８であり、オキシエチレン基の平均付加モル数が２０〜２００のポリオキシエチレンアルキルエーテル、又は炭素数１２〜１８の脂肪酸とオキシアルキレン基の平均付加モル数２０〜２００のポリオキシアルキレンとのエステル化合物、（５）炭素数３〜８のヒドロキシ基を３〜６個有する多価アルコールと炭素数１２〜２０の脂肪酸とのエステル化合物（但し（２）の化合物は除く）、又はこれらのアルキレンオキシド付加物、（６）分子中に炭素数１２〜３６の炭化水素基を１又は２個、と残りが炭素数１〜３のアルキル基及び／又はヒドロキシアルキル基である第３級アミン化合物を挙げることができる。本発明では特に（４）の化合物及び（５）の化合物が好適であり、（５）の化合物が最も好ましい。（ｆ）成分としては、融点が３０〜１００℃の化合物が好ましく、３５〜８５℃の化合物がより好ましく、４０〜７５℃の化合物が更に好ましい。
【０１０２】
可撓性吸収体としては、紙、織物、不織布、スポンジを挙げることができ、特に空隙率が７０〜９０％の可撓性吸収体が好ましい。ここで、空隙率は下式で求めることができる。
【０１０３】
空隙率＝［１−Ｗ／（Ｔ＊ε）］×１００
〔式中、Ｗは可撓性吸収体の質量であり、Ｔは可撓性吸収体の体積であり、εは可撓性吸収体を構成する材料の比重を示す。〕
本発明では特に、効率的に（ａ）成分を吸着させる目的から不織布が最も好適である。不織布としては、湿式不織布、ケミカルボンド、サーマルボンド、エアレイ等の乾式不織布の他にスパンレース、スパンボンド、メルトブローン、ニードルパンチ及び／又はステッチボンドを挙げることができるが、特に湿式不織布、ケミカルボンド、サーマルボンド、メルトブローン又はスパンレースから選ばれる１種以上が好ましい。また、不織布は坪量１０〜１５０ｇ／ｍ2、より好ましくは１０〜１００ｇ／ｍ2、特に好ましくは１５〜８０ｇ／ｍ2のものが好適である。
【０１０４】
不織布の材質としては、ポリプロピレン、ポリエチレン、ポリエステル、ポリ塩化ビニルから選ばれる疎水性繊維、ナイロン、レーヨン、アクリル、ビニロン、ポリウレタン、セルロースから選ばれる親水性繊維を用いることができる。本発明では疎水性繊維及び親水性繊維を併用することができるが、疎水性繊維の割合が５０質量％以上であることが好ましく、特にポリプロピレン、ポリエチレン、ポリエステルから選ばれる１種以上の繊維を５０質量％以上含有する不織布が好適である。
【０１０５】
不織布を構成する繊維は１〜２０ｄｔｅｘ、好ましくは１〜１０ｄｔｅｘが好適であり、繊維長は３８〜１０２ｍｍが好適である。
【０１０６】
本発明に用いられる可撓性吸収体はブロック状でもよくシート状でも良いが、しわ除去効果の点からシート状のものが良好である。シートの厚さとしては、好ましくは平均２０μｍ〜１０００μｍ、特に好ましくは５０μｍ〜５００μｍであり、回転式加熱乾燥機の大きさにもよるが、縦；１０〜３０ｃｍ、横；１０〜５０ｃｍ程度の大きさのものが適当である。
【０１０７】
方法３に供される物品は上記可撓性吸収体に上述の本発明の組成物を担持させる。可撓性吸収体がシート状のものを用いる場合において、本発明の組成物の担持量は、好ましくは３〜８０ｇ／ｍ2、より好ましくは５〜６０ｇ／ｍ2、特に好ましくは１０〜４５ｇ／ｍ2である。また、可撓性吸収体の空隙率に対して１０〜６０％、好ましくは２０〜５０％の容積になるように担持させることが好ましい。担持方法としては、リバースロールコーター法、グラビアロールコーター法、オポジットナイフコーター法、インバースナイフコーター法、キスロールコーター法、スプレーコート法、エアナイフコーター法、デイィップロールコーター法、ダイレクトロールコーター法、ハケ塗り法等の湿式コーティング法を用いて担持させることができ、特にグラビアロールコーター法が製造の容易性の点から好ましい。
【０１０８】
方法３においては、対象衣料、及び上記物品を回転式加熱乾燥機に投入し加熱処理する。対象衣料に対する上記物品の比率は、上記物品中の本発明の組成物の質量が衣料製品の質量に対して、好ましくは０．０１〜５質量％、より好ましくは０．０３〜３質量％になる比率である。また、衣料製品の量は回転式加熱乾燥機の乾燥室の体積に対して少ないほど良く、３０ｇ／ｍ3以下になるように投入することが好ましい。また、このような回転式加熱乾燥機処理において、温度は３０〜１２０℃、好ましくは４０〜１００℃であり、処理時間は、好ましくは５〜４０分、より好ましくは１０〜３０分程度が好適である。
【０１０９】
方法１〜方法３に供される本発明の組成物には、通常繊維処理剤に配合されるシリコーン、香料（特に好ましくは特開平８−１１３８７号公報記載の成分（ｃ）及び（ｄ）にて示された香気成分の組み合わせ）あるいは色素等の成分を配合しても差し支えない。
【実施例】
【０１１０】
実施例に用いる配合成分を以下にまとめて示す。
【０１１１】
＜配合成分＞
・（ａ）成分
（ａ−１）：特開平６−２７１４４３号公報の製造例１に記載の方法で得られた１−（２−ヒドロキシエチルアミノ）−３−トコフェリルオキシ−２−プロパノール
（ａ−２）：特開平８−３１９２６３号公報の実施例における化合物（１ｈ）（一般式（ａ２）において、Ｒ4：Ｃ15Ｈ31、Ｒ5：−Ｃ2Ｈ4ＯＣＨ3、Ｂ：Ｏ、Ｒ6：Ｃ16Ｈ33、ａ：１の化合物）
（ａ−３）：上記セラミド４
（ａ−４）：コレステリルヘミアルケニルコハク酸エステル
（ａ−５）：ヒアルロン酸ナトリウム
（ａ−６）：ひまわり油
（ａ−７）：ワセリン
（ａ−８）：オレイン酸ジグリセライド
・（ｂ）成分
（ｂ−１）：下記合成例１で製造した分岐ポリグリセロール変性シリコーン
（ｂ−２）：下記合成例２で製造した分岐ポリグリセロール変性シリコーン
・（ｃ）成分
（ｃ１−１）：Ｎ−ステアロイルアミノプロピル−Ｎ−ステアロイルオキシエチル−Ｎ−メチルアミン
（ｃ２−１）：Ｎ−ステアロイルアミノプロピル−Ｎ−ステアロイルオキシエチル−Ｎ，Ｎ−ジメチルアンモニウムクロリド
（ｃ３−１）：ポリオキシエチレンラウリルエーテル
・（ｄ）成分
（ｄ−１）：グリセリン
（ｄ−２）：プロピレングリコール
・（ｅ）成分
（ｅ−１）：硬化ひまし油にエチレンオキシドを４０モル付加させた化合物
・（ｆ）成分
（ｆ−１）：ポリオキシエチレンソルビタンモノステアレ−ト（花王（株）製レオド−ルＴＷ−Ｓ１０６）
（ｆ−２）：ポリオキシエチレンソルビタンモノステアレ−ト（花王（株）製レオド−ルＴＷ−Ｓ１２０）
（ｆ−３）：ソルビタンモノステアレ−ト（花王（株）製レオド−ルＳＰ−Ｓ１０）
合成例１：分岐ポリグリセロール変性シリコーン（ｂ−１）（連結基として、−ＣＨ2ＣＨ2ＣＨ2−Ｏ−ＣＨ2ＣＨ2Ｏ−を有する）の合成
ＧＥ東芝シリコーン（株）製カルビノール変性シリコーン  ＸＦ４２−Ｂ０９７０（両末端変性、水酸基当量＝６０ｍｇ−ＫＯＨ／ｇ（平均分子量＝１８７０相当））１８７ｇをフラスコに取り、カリウムメトキシド（３０％メタノール溶液）４２．１ｇを加え、攪拌しながら減圧下に６０℃まで加温して、メタノールを全て留去し、黄色油状物としてカリウム化カルビノール変性シリコーンを得た。９５℃まで昇温し、激しく攪拌しながらアルゴン気流下にグリシドール７４．１ｇ（５当量）を定量液送ポンプを用いて５時間にわたり添加した。２０分間さらに加熱攪拌後、室温まで放冷し、エタノール６００ｍＬを加え淡黄色溶液とした。これにクエン酸３４．６ｇを添加／攪拌し、析出した塩を濾別した。濾液を濃縮し（少量のポリグリセロール誘導体が析出すれば除去する）、淡黄色油状物として分岐ポリグリセロール変性シリコーン（ｂ−１）を収率９５％で得た。この分岐ポリグリセロール変性シリコーン（ｂ−１）の1Ｈ−ＮＭＲスペクトル中の各ピークの帰属、及び13Ｃ−ＮＭＲスペクトル中の基（ｂ１）のメチン炭素由来のピークの帰属を以下に示す。
・1Ｈ−ＮＭＲスペクトル
０．１−０．２ｐｐｍ（Ｓｉ-ＣＨ3）
０．６−０．７ｐｐｍ（４Ｈ，Ｓｉ-ＣＨ2-ＣＨ2-）
１．６−１．８ｐｐｍ（４Ｈ，Ｓｉ-ＣＨ2-ＣＨ2-）
３．３−４．０ｐｐｍ（１２Ｈ，Ｓｉ-ＣＨ2-ＣＨ2-ＣＨ2-Ｏ-ＣＨ2-ＣＨ2-Ｏ、分岐ポリグリセロール鎖のＨ）
・13Ｃ−ＮＭＲスペクトル
【０１１２】
【化１６】
2005054305.tif 000013
【０１１３】
13Ｃ−ＮＭＲスペクトルの解析により、基（ｂ１）を有する分岐ポリグリセロール変性シリコーンであることを確認した。また1Ｈ−ＮＭＲスペクトルの解析により、平均グリセロール基数（Ｇ）＝９．８（片側４．９）、平均ケイ素原子数（Ｓｉ）＝２２。Ｇ／Ｓｉ比は、０．４５であり、ＧＰＣ解析（カラム：ＫＦ−８０４Ｌ（×２）、脂肪族アミン／クロロホルム溶液、４０℃、ポリスチレン換算）に依れば、数平均分子量（Ｍｎ）は、２６００であった。
【０１１４】
合成例２：分岐ポリグリセロール変性シリコーン（ｂ−２）（連結基として、−ＣＨ2ＣＨ2ＣＨ2−Ｏ−ＣＨ2ＣＨ2Ｏ−を有する）の合成
信越化学工業（株）製カルビノール変性シリコーン  ＫＦ−６００１（両末端変性、水酸基当量＝６２ｍｇ−ＫＯＨ／ｇ（平均分子量＝１８１０相当））１８１ｇをフラスコに取り、カリウムメトキシド（３０％メタノール溶液）４６．７ｇを加え、攪拌しながら減圧下に６０℃まで加温して、メタノールを全て留去した。微黄色油状物としてカリウム化カルビノール変性シリコーンを得た。９５℃まで昇温し、激しく攪拌しながらアルゴン気流下にグリシドール１７７．８ｇ（１２当量）を、定量液送ポンプを用いて８時間にわたり添加した。２０分間さらに加熱攪拌後、室温まで放冷して、乳濁色ペースト状組成物を得た。エタノール８００ｍＬを加えカチオン交換樹脂によりカリウムを除去後、濃縮し（ここで少量のポリグリセロール誘導体が析出すれば除去する）、微黄色粘稠油状物として分岐ポリグリセロール変性シリコーン（ｂ−２）を収率９２％で得た。13Ｃ−ＮＭＲスペクトルの解析により、基（ｂ１）を有する分岐ポリグリセロール変性シリコーンであることを確認した。また1Ｈ−ＮＭＲスペクトルの解析により、平均グリセロール基数（Ｇ）＝２３．６（片側１１．８）、平均ケイ素原子数（Ｓｉ）＝２２。Ｇ／Ｓｉ比は、１．０７であり、ＧＰＣ解析（カラム：Ｇ４０００ＰＷＸＬ＋Ｇ２５００ＰＷＸＬ、アセトニトリル／リン酸緩衝液、４０℃、ポリエチレングリコール換算）に依れば、数平均分子量（Ｍｎ）は、３５９０であった。
【０１１５】
実施例１
表１に示す（ａ）〜（ｆ）成分を用い、表１に示す組成の衣料用処理剤組成物を調製した。得られた組成物を下記方法で衣料に処理し、その性能を下記方法で評価した。その結果、本発明品で処理したものはいずれも、比較品１で処理したものに比べ皮膚の状態が良好であった。
【０１１６】
＜衣料への処理方法及び性能評価法＞
木綿金巾＃２００３（谷頭商店製）を２槽式洗濯機（東芝（株）製２槽式洗濯機ＶＨ−３６０Ｓ１）で市販洗剤を用いて洗浄し（花王（株）製アタック、洗剤濃度０．０６６７質量％、水道水使用、水温２０℃、１０分洗浄後、１５分流水すすぎした後、５分間脱水）、自然乾燥させた。このものを２５ｃｍ×２５ｃｍに裁断し、試験布を得る。この試験布１０枚を全自動洗濯機（松下電器（株）製ＮＡ−Ｆ５０Ｋ１）で市販洗剤を用いて再度洗濯する（花王（株）製アタック、洗剤濃度０．０６６７質量％、水道水使用、水量３０Ｌ、水温２０℃、洗浄１０分、ためすすぎ２回、脱水４０秒）。最後のためすすぎの段階で、各組成物を３０ｍＬ添加し、５分攪拌後脱水し、その後各試験布を広げ、平干しにして室内で自然乾燥させる。
【０１１７】
この試験布１枚を４ｃｍ×４ｃｍに切り抜き、入浴後に３０代男性の左上腕内側に絆創膏で貼付ける。次の日の入浴前に該布を取り除き、入浴後、同じ場所に再び貼付ける。この操作を、それぞれ１０人の３０代男性に２０日間続ける。終了後、皮膚表面の状態を目視で観察する。
【０１１８】
【表１】
2005054305.tif 000014
【０１１９】
＊：２０℃におけるｐＨ、１／１０規定硫酸水溶液及び１／１０規定水酸化ナトリウム水溶液を用いて調整した。
【０１２０】
実施例２
表２に示す（ａ）〜（ｅ）成分を用い、表２に示す組成の衣料用処理剤組成物を調製した。得られた組成物を下記方法で衣料に処理し、その性能を下記方法で評価した。その結果、本発明品で処理したものはいずれも、比較品２で処理したものに比べ皮膚の状態が良好であった。
【０１２１】
＜衣料への処理方法及び性能評価法＞
木綿金巾＃２００３（谷頭商店製）を２槽式洗濯機（東芝（株）製２槽式洗濯機ＶＨ−３６０Ｓ１）で市販洗剤を用いて洗浄し（花王（株）製アタック、洗剤濃度０．０６６７質量％、水道水使用、水温２０℃、１０分洗浄後、１５分流水すすぎした後、５分間脱水）、自然乾燥させた。このものを２５ｃｍ×２５ｃｍに裁断し、試験布を得る。この試験布１０枚を全自動洗濯機（松下電器（株）製ＮＡ−Ｆ５０Ｋ１）で市販洗剤を用いて再度洗濯する（花王（株）製アタック、洗剤濃度０．０６６７質量％、水道水使用、水量３０Ｌ、水温２０℃、洗浄１０分、ためすすぎ２回、脱水４０秒）。脱水終了後の試験布１０枚にスプレーバイアル（マルエム社製Ｎｏ．６）を用いて各組成物を試験布に対して同質量になるように試験布全体に均一にスプレーする。その後各試験布を広げ、平干しにして室内で自然乾燥させる。
【０１２２】
これらの試験布を実施例１と同様の方法で３０代男性に貼り付ける操作を行い、操作終了後の皮膚表面の状態を目視で観察する。
【０１２３】
【表２】
2005054305.tif 000015
【０１２４】
＊：２０℃におけるｐＨ、１／１０規定硫酸水溶液及び１／１０規定水酸化ナトリウム水溶液を用いて調整した。
【０１２５】
実施例３
表３に示す（ａ）、（ｂ）及び（ｆ）成分を用い、表３に示す組成の衣料用処理剤組成物を調製した。得られた組成物を下記方法で衣料に処理し、その性能を下記方法で評価した。その結果、本発明品で処理したものはいずれも、未処理のものと比べ皮膚の状態が良好であった。
【０１２６】
＜衣料への処理方法及び性能評価法＞
各組成物を約７０℃で溶融混合して、しわ除去剤を調製し、空隙率８５％、坪量２０ｇ／ｍ2、厚さ約２００μｍのポリエステル不織布にグラビアロールコーター法を用いて担持させる。この際、担持量は３０ｇ／ｍ2になるよう調節する。こうして得られたシートを縦２０ｃｍ、横３０ｃｍに裁断し試験用サンプルシートとする。
【０１２７】
一般に市販されている男性用肌着（商品名：グンゼＹＧ）を予め全自動洗濯機（松下電器産業（株）製  ＮＡ−Ｆ５０Ｋ１  やさしい愛妻号  標準コース）を用いて１０回繰り返し洗濯し、吊り干し乾燥したものを用意する。
【０１２８】
家庭用回転式衣類乾燥機（松下電器産業（株）製  ＮＨ−Ｄ５０２型）を用いて、吊り干し乾燥後の肌着を５枚と、試験用サンプルシート１枚を投入してから２０分間乾燥機を運転する。この条件では、（ａ）成分の質量は衣料製品の質量に対して約０．３％となり、また衣料製品の量は乾燥室の体積に対して８ｇ／ｍ3になる。乾燥機で処理した肌着を乾燥機から取り出し室温で１時間放置する。
【０１２９】
別の吊り干し乾燥後の肌着を５枚用い、試験用サンプルシートを入れない以外は同様の方法で、未処理品を得る。
【０１３０】
これら肌着を４ｃｍ×４ｃｍに裁断し、実施例１と同様の方法で３０代男性に貼り付ける操作を行い、操作終了後の皮膚表面の状態を目視で観察する。
【０１３１】
【表３】
2005054305.tif 000016